(57)【特許請求の範囲】
【請求項１】
紙を製函して形成され、洗剤又は食品が収容される６面体形状の紙容器において、
容器本体と、該容器本体の上端開口面の背面側縁部にヒンジ接合されて当該上端開口面を開閉する蓋部材とからなり、
前記容器本体の正面板には前記上端開口面から延設された凹状切り欠き部が形成されており、
前記蓋部材は、前記上端開口面を覆う上面蓋部と、前記凹状切り欠き部を覆う大きさの正面蓋部と、前記上面蓋部の側縁部と前記正面蓋部の側縁部との間に介在して前記上面蓋部に対して前記正面蓋部を垂直に接合させる一対の側面蓋部とからなり、
前記容器本体の内側には、上端面が開口し底板を備える直方体形状の印籠部が装着されると共に、該印籠部の正面板に前記凹状切り欠き部が形成されており、
前記容器本体及び蓋部材は、６面体形状の紙箱を、当該紙箱の上面板と背面板との接続稜線の両端から延長する切断誘導線を介して切断分割することにより形成され、
該切断誘導線は、前記接続稜線の両端から一対の側面板に沿って各々斜め下方に延長し、前記印籠部の正面板に形成された前記凹状切り欠き部の下方において前記正面板に沿って延長している紙容器。
【請求項２】
前記洗剤又は食品は、積層された板状物として収容されており、前記凹状切り欠き部は、積層して収容された洗剤又は食品を正面側から摘みやすい大きさに形成されている請求項１記載の紙容器。
【請求項３】
前記凹状切り欠き部の下方には、前記蓋部材の正面蓋部の下端部分を係止する係止部が設けられている請求項１又は２に記載の紙容器。
【請求項４】
前記切断誘導線は、上下一対の切断誘導線によって挟まれる切断帯の上方に位置する切断誘導線であり、前記係止部は前記凹状切り欠き部の下端縁部の中央部分に両側に切り込みを入れることにより、舌状係止部として印籠部に設けられている請求項３記載の紙容器。
【発明の詳細な説明】
【０００１】
【産業上の利用分野】
本発明は、紙を製函して形成される６面体形状の紙容器に関する。
【０００２】
【従来の技術及び発明が解決しようとする課題】
洗剤や食品等を収容する容器として六面体状の紙容器が広く使用されている。この紙容器は、収容物を収容する容器本体と該容器本体の上端開口面を覆う蓋部材とからなり、該蓋部材を開閉して収容物を取り出す。蓋部材としては、容器本体と別体として設けられた取り外し可能な開閉蓋や、上端開口面の背面側縁部に開閉可能にヒンジ結合され、先端部分を折り曲げて形成した係止片を上端開口面の正面側縁部の内側に係止して封止状態とする蓋板が知られている。
【０００３】
しかしながら、従来の紙容器によれば、開閉蓋を別体としたものは取り扱いに不便であり、蓋板によるものは周囲に隙間が生じやすく良好な封止状態を得ることが難しい。また、特に収容物として板状物を積層状態で収容する場合には、収容物を上端開口面から取り出しにくい。
【０００４】
本発明は、扱い易く、閉蓋時における良好な封止状態を得ることできると共に、収容物の取り出し易さを改善した紙容器の提供を目的とする。
【０００５】
【課題を解決するための手段】
本発明は、紙を製函して形成され、洗剤又は食品が収容される６面体形状の紙容器において、容器本体と、該容器本体の上端開口面の背面側縁部にヒンジ接合されて当該上端開口面を開閉する蓋部材とからなり、前記容器本体の正面板には前記上端開口面から延設された凹状切り欠き部が形成されており、前記蓋部材は、前記上端開口面を覆う上面蓋部と、前記凹状切り欠き部を覆う大きさの正面蓋部と、前記上面蓋部の側縁部と前記正面蓋部の側縁部との間に介在して前記上面蓋部に対して前記正面蓋部を垂直に接合させる一対の側面蓋部とからなり、前記容器本体の内側には、上端面が開口し底板を備える直方体形状の印籠部が装着されると共に、該印籠部の正面板に前記凹状切り欠き部が形成されており、前記容器本体及び蓋部材は、６面体形状の紙箱を、当該紙箱の上面板と背面板との接続稜線の両端から延長する切断誘導線を介して切断分割することにより形成され、該切断誘導線は、前記接続稜線の両端から一対の側面板に沿って各々斜め下方に延長し、前記印籠部の正面板に形成された前記凹状切り欠き部の下方において前記正面板に沿って延長している紙容器を提供することにより、上記目的を達成したものである。
【０００６】
【発明の実施の形態】
本発明の好ましい実施形態に係る紙容器１０は、図１に示すように、一例として薄板状の収容物であるシート状洗剤１１を多数積層した状態で収容する容器として使用される。なお、シート状洗剤１１は、洗濯用の洗剤を水溶性シートで挟み込んでシート状に形成され、これのそのまま洗濯機等に投入して、洗濯に供されるものである。
【０００７】
本実施形態の紙容器１０は、板紙を製函して形成される直方体形状の紙容器であって、容器本体１２と、容器本体１２の上端開口面１３の背面側縁部にヒンジ接合されて上端開口面１３を開閉する蓋部材１４とからなる。また、容器本体１２の正面板１５には上端開口面１３から延設された凹状切り欠き部１６が形成されている。蓋部材１４は、上端開口面１３を覆う上面蓋部１７と、凹状切り欠き部１６を覆う大きさの正面蓋部１８と、上面蓋部１７の側縁部と正面蓋部１８の側縁部との間に介在して上面蓋部１７に対して正面蓋部１８を垂直に接合させる一対の側面蓋部１９とからなる。
【０００８】
紙容器１０を構成する板紙は、例えば紙基材と、紙基材の外側面を覆う印刷層及び外側フィルムと、内側面を覆う内側フィルムとからなる積層紙である。この板紙を所定の展開形状に切断すると共に立体形状となるように折り曲げ、適宜箇所を接着することによって、例えば縦９０ｍｍ、横１３０ｍｍ、高さ１００ｍｍ程度の大きさの直方体形状の紙容器１０が形成される。
【０００９】
容器本体１２は、上端面が上端開口面１３として開口する直方体形状の箱体である。本実施形態によれば、容器本体１２は、図２に示すように、当該容器本体１２を構成する外殻体２０の内側に直方体形状の印籠部２１が装着されることにより、二重構造を備える。そして、印籠部２１の正面板２２の上半部分及び一対の側面板２３の上半部分は外殻体２０の上方に露出して、当該外殻体２０と共に容器本体１２の正面板１５及び側面板２５を形成する（図１参照）。
【００１０】
また、本実施形態によれば、容器本体１２の正面板１５を構成する印籠部２１の露出した正面板２２には、容器本体１２の上端開口面１３から延設された上記凹状切り欠き部１６が、横１００ｍｍ、高さ６０ｍｍの領域内おいて下端縁部を湾曲させた状態で形成されている。また凹状切り欠き部１６の湾曲する下端縁部の中央部分には、両側に切り込み２４を入れることにより、舌状係止部２６が形成されている。この舌状係止部２６には、紙容器１０の閉蓋時に、後述する蓋部材１４の正面蓋部１８の下端部分が係止される（図３参照）。
【００１１】
蓋部材１４は、その上面蓋部１７の背面側縁部が、容器本体１２を構成する外殻体２０の背面板２７の上端縁部に折れ癖線２８を介してヒンジ接合されており（図２参照）、この折れ癖線２８を中心に回動して上端開口面１３を開閉する。上面蓋部１７は、上端開口面１３の大きさと略同様の、縦９０ｍｍ、横１３０ｍｍの矩形形状を有し、閉蓋時に上端開口面１３を上方から被せるようして配置される。正面蓋部１８は、横１３０ｍｍ、高さ６５ｍｍの矩形形状を有し、その上端縁部が上面蓋部１７の正面側縁部と垂直に接合している。また、図３に示すように、正面蓋部１８は、閉蓋時にその下端縁部が容器本体１２の凹状切り欠き部１６の下方に位置し、その下端部分が切り込み２４に挟み込まれるようにして舌状係止部２６に係止されることにより、凹状切り欠き部１６を前方から被せるように覆って配置される。側面蓋部１９は、各々縦９０ｍｍ、高さ６５ｍｍの直角３角形状を有し、直角を挟んだ上端縁部と正面側縁部とを、上面蓋部１７の側縁部と正面蓋部１８の側縁部に各々接合することにより、上面蓋部１７に対して正面蓋部１８を垂直に接合させた状態を保持する。
【００１２】
本実施形態によれば、容器本体１２を構成する外殻体２０と蓋部材１４とは、図４に示すように、６面体形状の紙箱２９を、当該紙箱２９の上面板３０と背面板３１との接続稜線３２の両端から延長する切断帯３３を介して切断分割することにより形成される。切断帯３３は、切断誘導線としての上下一対のミシン目３４，３５に挟まれて形成され、当該切断帯３３をミシン目３４，３５に沿って引き裂くことにより、紙箱２９は、接続稜線３２を折れ癖線２８として互いにヒンジ結合される外殻体２０と蓋部材１４とに分割される。上方に位置するミシン目３４は、接続稜線３２の両端から紙箱２９の一対の側面板３６に沿って各々斜め下方に延長し、印籠部２１の正面板２２に形成された凹状切り欠き部１６の下方において紙箱２９の正面板３７に沿って延長している。これによって形成された蓋部材１４は、上述のような上面蓋部１７と、正面蓋部１８と、一対の側面蓋部１９とからなる構成を備えることになる。
【００１３】
本実施形態によれば、紙容器１０は、紙箱２９の内部に積層状態のシート状洗剤１１及び印籠部２１を収容した製品として流通、販売される。シート状洗剤１１の使用時には、切断帯３３を引き裂いて外殻体２０と蓋部材１４とに分割し、蓋部材１４を開閉可能な状態としてシート状洗剤１１を取り出す。
【００１４】
本実施形態の紙容器１０によれば、蓋部材１４は、ヒンジ接合により容器本体１２と一体として設けられているので、開閉時の取り扱いに便利である。また、蓋部材１４は、上面蓋部１７、正面蓋部１８及び側面蓋部１９からなる充分な大きさの立体形状を有し、容器本体１２の上端開口面１３及び凹状切り欠き部１６を隙間なく覆うことができるので、異物の混入や付着を容易に回避しつつ良好な封止状態でシート状洗剤１１を収容することができる。さらに、正面板１５に凹状切り欠き部１６が形成されていることにより、積層されたシート状洗剤１１を正面側から摘みやすくなり、容易に取り出すことが可能になる。さらにまた、蓋部材１４は、紙箱２９の接続稜線３２において容器本体１２にヒンジ接合しているので、背面板２７を背後の壁等に密着させて容器本体１２を設置した場合でも、蓋部材１４を上方に回動して開蓋することができ、上端開口面１３及び凹状切り欠き部１６を介してシート状洗剤１１を容易に取り出すことが可能になる。蓋部材１４は、前記接続稜線３２において、容器本体１２にヒンジ接合しているため、元の形に戻ろうとする板紙の習性によって蓋部材１４が容器本体１２より上方へ浮き上がり易くなり、封止状態が保てない場合がある。そこで、蓋部材１４の正面蓋部１８の下端部分を容器本体１２の正面板１５の舌状係止部２６に係合させて、封止状態を保持できるようにした。閉蓋時には、蓋部材１４の正面蓋部１８の下端部分が舌状係止部２６に係止されることにより、紙容器１０の閉まり感を認知することができると共に、封止状態を確実に保持できる。
【００１５】
すなわち、本実施形態の紙容器１０によれば、扱い易く、閉蓋時における良好な封止状態を得ることできると共に、シート状洗剤１１の取り出し易さが改善されることになる。
【００１７】
なお、本発明は上記実施形態に限定されることなく種々の変更が可能である。例えば、凹状切り欠き部の下方に蓋部材の係止部を設ける必要は必ずしもなく、係止部は舌状係止部以外の形態のものを採用できる。また、薄板状のシート状洗剤に限定されることなく、粉状洗剤や食品を収容する容器として採用することもできる。さらに、蓋部材の側面蓋部は、必ずしも直角３角形状のものである必要はない。
【００１８】
【発明の効果】
本発明の紙容器によれば、扱い易く、閉蓋時における洗剤又は食品の良好な封止状態を得ることができると共に、背面板を背後の壁等に密着させて容器本体を設置した場合でも、洗剤又は食品の取り出し易さを改善できる。
【図面の簡単な説明】
【図１】本発明の一実施形態に係る紙容器の開蓋状態の斜視図である。
【図２】本発明の一実施形態に係る紙容器の分解斜視図である。
【図３】本発明の一実施形態に係る紙容器の閉蓋状態の斜視図である。
【図４】切断帯を引き裂く状態を説明する斜視図である。
【符号の説明】
１０  紙容器
１１  シート状洗剤
１２  容器本体
１３  上端開口面
１４  蓋部材
１５  正面板（容器本体）
１６  凹状切り欠き部
１７  上面蓋部
１８  正面蓋部
１９  側面蓋部
２０  外殻体
２１  印籠部
２２  正面板（印籠部）
２３  側面板（印籠部）
２４  切り込み
２５  側面板（容器本体）
２６  舌状係止部
２７  背面板（外殻体）
２８  折れ癖線
２９  紙箱
３０  上面板（紙箱）
３１  背面板（紙箱）
３２  接続稜線
３３  切断帯
３４，３５  ミシン目
３６  側面板（紙箱）
３７  正面板（紙箱）
【図１】
0003585810.tif 000002
【図２】
0003585810.tif 000003
【図３】
0003585810.tif 000004
【図４】
0003585810.tif 000005